(57)【特許請求の範囲】
【請求項１】
内部に空間を有する板状の筐体と、
前記空間内で、他の部材に対して、前記筐体の板状の厚み方向に重ねられた光源と、
前記筐体の側面に配置され、前記光源が発した光を受け、外部に光を照射する導光部材と、
前記光源と前記導光部材との間の光路に向けて前記筐体から突出し、前記光路を遮蔽する遮蔽部材と
を備え、
前記光源は、基板上に配置され、
前記基板は、前記光源から前記導光部材に向けて延伸し、
前記他の部材は、前記基板の前記側面側に通信部を有する通信機器であり、
前記光源は、前記側面から前記通信部の位置より離れた位置に配置され、
前記基板は、前記光源から前記導光部材へ向かう領域以外に回路が配置される
ことを特徴とする情報処理装置。
【請求項２】
内部に空間を有する板状の筐体と、
前記空間内で、他の部材に対して、前記筐体の板状の厚み方向に重ねられた光源と、
前記筐体の側面に配置され、前記光源が発した光を受け、外部に光を照射する導光部材と、
前記光源と前記導光部材との間の光路に向けて前記筐体から突出し、前記光路を遮蔽する遮蔽部材と
を備え、
前記光源は、基板上に配置され、
前記遮蔽部材は、前記基板に沿って延び前記光源と前記導光部材との間で前記基板と並んで配置された遮蔽板を含み、
前記他の部材は、前記遮蔽板の前記側面側に通信部を有する通信機器であり、
前記光源は、前記側面から前記通信部の位置より離れた位置に配置される
ことを特徴とする情報処理装置。
【請求項３】
前記筐体は、嵌合して内部に空間を形成する第１部材及び第２部材を有し、
前記遮蔽部材は、前記第１部材に形成される
ことを特徴とする請求項１又は２に記載の情報処理装置。
【請求項４】
前記遮蔽部材は、
前記光路に沿って延伸するサイド遮蔽板と、
前記光源に対して前記導光部材とは反対側に設けられるバック遮蔽板と
を有したことを特徴とする請求項１〜３のいずれか一つに記載の情報処理装置。
【請求項５】
前記遮蔽部材は、前記筐体から突出する前記光路を囲む筒形の形状を有することを特徴とする請求項２に記載の情報処理装置。
【請求項６】
前記遮蔽部材は、前記導光部材と接触することを特徴とする請求項１〜５のいずれか一つに記載の情報処理装置。
【発明の詳細な説明】
【技術分野】
【０００１】
本発明は、情報処理装置に関する。
【背景技術】
【０００２】
タブレット型端末装置は、より薄く、より軽く、より小さく作ることが求められる。そのため、タブレット型端末装置において、どのように内部部品を配置するかは重要な事項である。特に、タブレット型端末装置の側面は、Ｉ／Ｏ（Input/Output）コネクタが並ぶことにより、内部部品の配置には寸法的に大きな制約を受ける。さらに、タブレット型端末装置の中には、防水機能を備えているものもあるが、その場合Ｉ／Ｏコネクタに防水キャップが取り付けられるため、廃部部品の配置の制約はより一層大きくなる。
【０００３】
さらに、コネクタの中には、接続状態を表すインジケータが配置されるものもある。例えば、ＤＣ（Direct  Current）ジャックに対応させて、通電を示すインジケータが置かれることがある。このようなインジケータは、それに対応するコネクタの状態を表すものが多いことから、対応するコネクタの側に配置されることが好ましい。
【０００４】
情報処理装置にインジケータを搭載する技術としては、内部に搭載したＬＥＤの光を、インジケータを兼ねた導光部材を用いて外に導き、且つ、ＬＥＤの光が筐体カバーから漏れないようにＬＥＤと筐体の間に遮光シートを挿入する従来技術がある。
【先行技術文献】
【特許文献】
【０００５】
【特許文献１】特開２０１０−１９３２１９号公報
【発明の概要】
【発明が解決しようとする課題】
【０００６】
しかしながら、側面にインジケータを設けようとした場合、設置場所の制約や基板の状態からインジケータを好ましい位置に配置することが困難であった。
【０００７】
開示の技術は、上記に鑑みてなされたものであって、インジケータの視認性を向上させる情報処理装置を提供することを目的とする。
【課題を解決するための手段】
【０００８】
本願の開示する情報処理装置は、一つの態様において、筐体は、内部に空間を有する板状の部材である。光源は、前記空間内で、他の部材に対して、前記筐体の板状の厚み方向に重ねられる。導光部材は、前記筐体の側面に配置され、前記光源が発した光を受け、前記筐体の側面から外部に光を照射する。遮蔽部材は、前記筐体と前記基板との間の光路に向けて前記筐体から突出し、前記光路を遮蔽する。前記光源は、基板上に配置され、前記基板は、前記光源から前記導光部材に向けて延伸する。前記他の部材は、前記基板の前記側面側に通信部を有する通信機器であり、前記光源は、前記側面から前記通信部の位置より離れた位置に配置され、前記基板は、前記光源から前記導光部材へ向かう領域以外に回路が配置される。
【発明の効果】
【０００９】
本願の開示する情報処理装置の一つの態様によれば、インジケータの視認性を向上させることができるという効果を奏する。
【図面の簡単な説明】
【００１０】
【図１】図１は、タブレット型端末装置をタッチパネル側から見た斜視図である。
【図２】図２は、タブレット型端末装置をリアカバー側から見た斜視図である。
【図３】図３は、タブレット型端末装置の分解斜視図である。
【図４】図４は、中子カバーの平面図である。
【図５】図５は、領域Ｐ１を拡大した図である。
【図６Ａ】図６Ａは、Ｗ−ＬＡＮアンテナの斜視図である。
【図６Ｂ】図６Ｂは、Ｗ−ＬＡＮアンテナの平面図である。
【図７】図７は、フロントカバーの斜視図である。
【図８】図８は、領域Ｐ２を拡大した図である。
【図９】図９は、タブレット型端末装置の平面図である。
【図１０】図１０は、Ａ−Ａ断面図である。
【図１１】図１１は、領域Ｐ３を拡大した概略断面図である。
【図１２】図１２は、実施例１に係るタブレット型端末装置のＬＥＤ及び導光部材近傍の断面斜視図である。
【図１３】図１３は、Ｂ−Ｂ断面図である。
【図１４】図１４は、領域Ｐ４を拡大した概略断面図である。
【図１５】図１５は、フロントカバーを被せない状態のタブレット型端末装置のＬＥＤの近傍の斜視図である。
【図１６】図１６は、フロントカバーを被せた状態のタブレット型端末装置を説明するためのＬＥＤの近傍の斜視図である。
【図１７】図１７は、実施例２に係るタブレット型端末装置のＬＥＤ及び導光部材近傍の断面斜視図である。
【図１８】図１８は、実施例２に係るタブレット型端末装置のＬＥＤ及び導光部材上で切断した概略断面図である。
【図１９】図１９は、実施例２に係るタブレット型端末装置のサイド遮蔽板上で切断した概略断面図である。
【発明を実施するための形態】
【００１１】
以下に、本願の開示する情報処理装置の実施例を図面に基づいて詳細に説明する。なお、以下の実施例により本願の開示する情報処理装置が限定されるものではない。特に、以下では、情報処理装置の一例としてタブレット型端末装置を用いて説明するが、他の薄型の情報処理装置、例えばノートＰＣ（Personal  Computer）等であってもよい。
【実施例１】
【００１２】
図１は、タブレット型端末装置をタッチパネル側から見た斜視図である。また、図２は、タブレット型端末装置をリアカバー側から見た斜視図である。
【００１３】
タブレット型端末装置１００は、タッチパネル１、フロントカバー２及びリアカバー３を有する。タッチパネル１は、フロントカバー２の上に配置される。またタッチパネル１を搭載したフロントカバー２とリアカバー３は組み合わされて嵌合し、内部に空間を有する１つの筐体を形成する。
【００１４】
以下では、リアカバー３からタッチパネル１へ向かう方向をＺ方向、タッチパネル１からリアカバー３へ向かう方向を逆Ｚ方向という。また、タブレット型端末装置１００の短手方向で図の矢印の向かう方向をＹ方向とし、その逆方向を逆Ｙ方向という。さらに、また、タブレット型端末装置１００の長手方向で図の矢印の向かう方向をＸ方向とし、その逆方向を逆Ｘ方向という。
【００１５】
図３は、タブレット型端末装置の分解斜視図である。タブレット型端末装置１００は、Ｚ方向に向けて、リアカバー３、中子カバー４、内部部品１５、フロントカバー２及びタッチパネル１の順に重ねられ組み上げられる。
【００１６】
タッチパネル１は、例えば液晶ディスプレイを有する。そして、タッチパネル１は、ディスプレイへの画像の表示を行う。また、タッチパネル１は、ディスプレイが押圧されることにより押圧された画面上の位置の入力を受ける。
【００１７】
フロントカバー２は、タッチパネル１のはめ込み用の枠を有する。また、フロントカバー２は、タブレット型端末装置１００のタッチパネル１の周りのカバー及び側面のカバーを有する。そして、タッチパネル１が搭載されたフロントカバー２は、中子カバー４と組み合わされることで、中子カバー４に組み付けられた内部部品１５を覆う。このフロントカバー２が、「第１部材」の一例にあたる。
【００１８】
内部部品１５は、メインボード５を含むタブレット型端末装置１００の各種機能を実現する部品群である。内部部品１５には、他にもハードディスク、通信装置、スピーカ及び接続ケーブルなどが含まれる。
【００１９】
中子カバー４は、内部部品１５を組み付ける部材である。内部カバー４は、内部部品１５が取り付けられた状態で、フロントカバー２及びリアカバー３で覆われる。具体的には、中子カバー４には、ＣＰＵ（Central  Processing  Unit）を搭載するメインボード５が取り付けられる。さらに、中子カバー４には、例えば、Ｗ−ＬＡＮ（Wireless  Local  Area  Network）アンテナ、スピーカ及びマイクなどが取り付けられる。
【００２０】
中子カバー４は、フロントカバー２及びリアカバー３により外部が覆われる。すなわち、中子カバー４は、フロントカバー２とリアカバー３とが組み合わされたことで形成される内部の空間に配置される。
【００２１】
さらに、本実施例における中子カバー４は、フロントカバー２と接する場所に防水パッキンが配置される。防水パッキンは、中子カバー４に搭載された内部部品１５を囲むように配置される。この防水パッキンにより、中子カバー４に搭載された内部部品１５への外部からの水の侵入が防がれる。ただし、防水性を向上させなくてもよい場合、防水パッキンは設けられなくてもよい。
【００２２】
リアカバー３は、中子カバー４のフロントカバー２と反対の側の面を覆う。そして、リアカバー３は、中子カバー４を挟みフロントカバー２と嵌合させられ、ネジなどの留具によってリアカバー２と結合される。リアカバー３と中子カバー４との間に、バッテリなどが配置されてもよい。このリアカバー３が、「第２部材」の一例にあたる。
【００２３】
図４は、中子カバーの平面図である。図４は、逆Ｚ方向へ向かう方向から中子カバー４を見た状態を表す。すなわち、図４に示す中子カバー４は、図３の状態の中子カバー４のみを抜き出しそのまま、フロントカバー２側から見た状態である。
【００２４】
中子カバー４は、外縁の全周がフロントカバー２と接触する。さらに、中子カバー４のフロントカバー２と接触する外縁の位置には、防水パッキン９が全周に亘って配置される。また、中子カバー４には、メインボード５が配置される。
【００２５】
メインボード５は、タブレット型端末装置１００における主要な演算処理を担う部品、例えばＣＰＵやメモリなどが搭載される基板である。メインボード５は、中子カバー４にネジなどにより固定される。
【００２６】
図４の領域Ｐ１は、フロントカバー２と中子カバー４とが組み合わされた状態における、インジケータ用のＬＥＤ（Light  Emitting  Diode）が配置される近傍の領域である。そして、図５は、領域Ｐ１を拡大した図である。
【００２７】
図５に示すように、中子カバー４の領域Ｐ１には、ＬＥＤ６、導光部材７、Ｗ−ＬＡＮアンテナ８が配置される。
【００２８】
図６Ａは、Ｗ−ＬＡＮアンテナの斜視図である。図６Ｂは、Ｗ−ＬＡＮアンテナの平面図である。図６Ａ及び６Ｂに示すように、Ｗ−ＬＡＮアンテナ８は、通信部８１、ケーブル８２及びグランド８３を有する。このＷ−ＬＡＮアンテナ８が、「他の部材」及び「通信機器」の一例にあたる。
【００２９】
ケーブル８２は、通信部８１からメインボード５に搭載されたＣＰＵまで延びる。また、グランド８３は、通信部８１に接続される。
【００３０】
通信部８１は、Ｗ−ＬＡＮルータなどの外部のＷ−ＬＡＮ装置と通信を行う。また、通信部８１は、ケーブル８２を介して、ＣＰＵと通信を行う。通信部８１は、外部のＷ−ＬＡＮ装置と通信を行うため、周辺への金属部品の配設を回避することが好ましい。例えば、通信部８１が発する電波と回路との干渉を軽減するため、通信部８１の周辺に金属製の回路の配設は回避することが好ましい。
【００３１】
ＬＥＤ６は、電力の供給を受けて光を発する光源である。ＬＥＤ６は、メインボード５上に搭載される。ＬＥＤ６から発せられた光の一部は、導光部材７へ到達する。
【００３２】
ＬＥＤ６には、電気を供給するためのメインボード５にプリントされた回路が接続される。そのため、ＬＥＤ６が通信部８１の近傍に配置されると通信部８１の周辺に回路が配置されることになり、通信部８１の通信特性が劣化してしまう。そこで、ＬＥＤ６は、通信部８１の近傍に配置されないように、奥まった方向、すなわち逆Ｘ方向に下げて配置される。本実施例では、ＬＥＤ６は、導光部材７から距離Ｌ１離れた位置に配置される。さらに、メインボード５上のＬＥＤ６と導光部材７との間の領域、すなわち距離Ｌ２の領域には、回路が配設されない。これにより、通信部８１の通信特性を維持することができる。
【００３３】
また、メインボード５は、ＬＥＤ６から導光部材７の近傍まで延びている。そのため、メインボード５は、ＬＥＤ６から発せられ導光部材７へ進む光の光路のリアカバー３側、すなわちＸＹ平面側を覆う。そのため、メインボード５は、ＬＥＤ６から発せられた光の逆Ｚ方向への漏れを防ぐ。このメインボード５が、「基板」の一例にあたる。
【００３４】
導光部材７は、一部が中子カバー４から外部に顔を覗かせる。導光部材７の外部に出ている部分がインジケータとなる。以下では、導光部材７の外部へ晒され操作者から認識できる部分をインジケータという。導光部材７は、ＬＥＤ６から発せられた光を受光する。そして、導光部材７は、受光した光をインジケータまで誘導する。これにより、利用者は、ＬＥＤ６が発行した場合に、インジケータの灯光が確認できる。
【００３５】
図７は、フロントカバーの斜視図である。図７は、Ｚ方向へ向かってフロントカバーを見た状態を表す。すなわち、図７に示すフロントカバー２は、図３の状態のフロントカバー２をＸ方向と逆Ｘ方向の向きを反転させるようにひっくり返した状態である。
【００３６】
図７の領域Ｐ２は、フロントカバー２と中子カバー４とが組み合わされた状態における、ＬＥＤ６が配置される近傍の領域である。そして、図８は、領域Ｐ２を拡大した図である。
【００３７】
図８に示すように、フロントカバー２は、サイド遮蔽板２１及びバック遮蔽板２２を有する。サイド遮蔽板２１及びバック遮蔽板２２は、フロントカバー２と中子カバー４とが組み合わされた状態で、フロントカバー２の内壁から中子カバー４へと延びる板状の突起部である。
【００３８】
サイド遮蔽板２１は、ＸＺ平面に平行な面を有する。そして、サイド遮蔽板２１は、フロントカバー２が中子カバー４と組み合わされた状態で、ＬＥＤ６から発せられ導光部材７へと向かう光の光路のＸＹ平面側を覆う。サイド遮蔽板２１は、ＬＥＤ６から発せられ導光部材７へと向かう光の光路のＹ方向の両側で光路を挟むように２つ配置される。サイド遮蔽板２１は、ＬＥＤ６から発せられた光のＹ方向への漏れを防ぐ。
【００３９】
また、サイド遮蔽板２１は、導光部材７に接触する位置まで延びるように配置される。これにより、導光部材７に外部から水圧がかかった場合に、導光部材７がサイド遮蔽板２１に接触することにより、サイド遮蔽板２１は、導光部材７が逆Ｘ方向に下がることを防止する。このように、サイド遮蔽板２１は、導光部材７からの水の侵入を防止し、防水効果を高める。
【００４０】
バック遮蔽板２２は、ＬＥＤ６の発光部位に対して導光部材７とは逆の位置に配置される。バック遮蔽板２２は、ＹＺ平面に平行な面を有する。そして、バック遮蔽板２２は、ＬＥＤ６から発せられ逆Ｘ方向へ進む光を遮蔽する。バック遮蔽板２２は、ＬＥＤ６から発せられた光の逆Ｘ方向への漏れを防ぐ。
【００４１】
さらに、各部材について詳細に説明する。図９は、タブレット型端末装置の平面図である。図１０は、Ａ−Ａ断面図である。図１０は、タブレット型端末装置１００におけるＬＥＤ６及び導光部材７を切断する位置の断面を示す。図１０における領域Ｐ３内に、ＬＥＤ６及び導光部材７が配置されている。
【００４２】
図１１は、領域Ｐ３を拡大した概略断面図である。さらに、図１２は、実施例１に係るタブレット型端末装置のＬＥＤ及び導光部材近傍の断面斜視図である。タッチパネル１は、フロントカバー２に搭載される。また、フロントカバー２とリアカバー３が組み合わせることで形成される空間に中子カバー４が配置される。
【００４３】
中子カバー４はタブレット型端末装置１００のＸ方向の側面から外に通じる穴を有している。導光部材７は、中子カバー４の外に通じる穴に嵌合するように配置される。そして、導光部材７は、タブレット型端末装置１００の外部に面する部分を有する。
【００４４】
図１１及び１２に示すように、タブレット型端末装置１００のＸ方向の側面のＡ−Ａ断面では、Ｚ方向に向けて、リアカバー３、中子カバー４、導光部材７、中子カバー４、フロントカバー２の順番で重なるように配置される。さらに、フロントカバー２と中子カバー４との間には、防水パッキン９が配設される。防水パッキン９は、フロントカバー２とリアカバー３とが形成する空間への水の侵入を防いでいる。
【００４５】
また、ＬＥＤ６の発光部位は、導光部材７側に存在する。そこで、本実施例では、バック遮光板２２は、ＬＥＤ６に対してＺ方向に重なる位置に配置される。さらに、ＬＥＤ６から導光部材７に向けてメインボード５が延びており、距離Ｌ２の領域には回路が配置されない。
【００４６】
さらに、Ｗ−ＬＡＮアンテナ８は、Ｘ方向に進むにしたがい逆Ｚ方向、すなわち、リアカバー３に近づくように傾斜をつけて配置されている。このように、通信部８１は、逆Ｚ方向に下がり、ＬＥＤ６から発せられた光をさえぎらないように配置される。
【００４７】
そして、図１１の状態で、ＬＥＤ６が発光した場合、バック遮蔽板２２が、逆Ｘ方向に進む光を遮り、ＬＥＤ６から見て逆Ｘ方向における外部への光の漏れを防止する。また、ＬＥＤ６から発せられた光は、Ｚ方向への進行をフロントカバー２及びタッチパネル１に遮られる。さらに、ＬＥＤ６から発せられた光は、逆Ｚ方向への進行をメインボード５により遮られる。
【００４８】
さらに、各部材について詳細に説明する。図１３は、Ｂ−Ｂ断面図である。図１３では、タブレット型端末装置１００におけるサイド遮蔽板２１を切断する位置の断面を示す。図１３における領域Ｐ４内に、ＬＥＤ６及び導光部材７が配置されている。
【００４９】
図１４は、領域Ｐ４を拡大した概略断面図である。図１４に示すように、サイド遮蔽板２１は、Ｘ方向で導光部材７に接するように配置される。そして、サイド遮蔽板２１は、導光部材７からＬＥＤ６に届く長さを有する。さらに、サイド遮蔽板２１は、メインボード５の近傍まで延びる。これにより、サイド遮蔽板２１は、図１３に示すように、Ｙ方向に直交する平面を有し、ＬＥＤ６と導光部材７との間のＸＺ平面に平行な領域を覆う。さらに、サイド遮蔽板２１は、ＬＥＤ６から発せられ導光部材７へ進む光の光路を挟む２つの位置に配置される。これにより、サイド遮蔽板２１は、ＬＥＤ６が発光した場合、Ｙ方向及び逆Ｙ方向に進む光を遮り、Ｙ方向及び逆Ｙ方向における外部への光の漏れを防止する。
【００５０】
図１１及び１４における、メインボード５、サイド遮蔽板２１及びバック遮蔽板２２により、ＬＥＤ６から発せられた光が導光部材７へ向かう方向以外の進行が遮られ、余分な光の漏れが防止される。
【００５１】
そして、ＬＥＤ６から発せられた光は、導光部材７で受光され、タブレット型端末装置１００のＸ方向の側面から外部へ発せられる。これにより、導光部材７の外部に面する部分であるインジケータが点灯する。
【００５２】
さらに、タブレット型端末装置１００が水に浸かった場合、導光部材７が逆Ｘ方向に押される。この場合、導光部材７の逆Ｘ方向側に何も配置されていなければ、導光部材７は、内部に押し込まれ、中子カバー４の導光部材７が嵌合する穴から水が浸入してしまう。この点、本実施例に係るタブレット型端末装置１００では、サイド遮蔽板２１が導光部材７に接することで、導光部材７が内部に押し込まれた場合に、サイド遮蔽板２１が、導光部材７の内部への移動を防止する。これにより、中子カバー４の導光部材７が嵌合する穴からの水の浸入が防止される。
【００５３】
さらに、図１５及び１６を参照して、ＬＥＤ６から発せられた光の照射及び遮蔽、並びに、インジケータの配置について説明する。
【００５４】
図１５は、フロントカバーを被せない状態のタブレット型端末装置のＬＥＤの近傍の斜視図である。図１５は、タブレット型端末装置１００のＤＣジャックにＤＣケーブル１０が接続された状態を表している。
【００５５】
図１５に示すように、ＬＥＤ６は、メインボード５上に配置される。そして、メインボード５のＬＥＤ６を搭載した領域は、Ｗ−ＬＡＮアンテナ８に重ねて配置される。さらに、ＬＥＤ６と導光部材７との間に、Ｗ−ＬＡＮアンテナ８の通信部８１が突出しないように配置される。そして、メインボード５の領域Ｑには、回路が配置されない。これにより、Ｗ−ＬＡＮアンテナ８の通信特性は劣化しない。そして、ＬＥＤ６から発せられた光は導光部材７へ照射される。さらに、ＬＥＤ６と導光部材７とを結ぶ光路は、リアカバー３側がメインボード５により覆われる。
【００５６】
また、図１６は、フロントカバーを被せた状態のタブレット型端末装置を説明するためのＬＥＤの近傍の斜視図である。図１６の点線で表されている各部材がフロントカバー２の一部を表す。
【００５７】
図１６に示すように、ＬＥＤ６と導光部材７とを結ぶ光路は、サイド遮蔽板２１及びバック遮蔽板２２により覆われる。さらに、ＬＥＤ６と導光部材７とを結ぶ光路は、フロントカバー２により覆われる。このように、ＬＥＤ６から発せられた光は、導光部材７へ進む他は遮蔽される。これにより、タブレット型端末装置１００は、ＬＥＤ６から発せられた光がインジケータ以外から外へ漏れることを防止する。
【００５８】
また、ＬＥＤ６及び導光部材７をＷ−ＬＡＮアンテナ８上に重ねることで、ＬＥＤ６及び導光部材７をＤＣジャックやそれに接続されるＤＣケーブル１０の近くに配置することができ、視認性が向上する。
【００５９】
以上に説明したように、本実施例に係るタブレット型端末装置は、Ｗ−ＬＡＮアンテナに重ねてＬＥＤを配置することで、Ｉ／Ｏコネクタなどが配置されるタブレット型端末装置の側面の使用エリアを減らすことが可能となる。これにより、タブレット型端末装置の小型化が可能となる。さらに、インジケータをそのインジケータの対象物、例えばＤＣジャックなどの近傍に配置することが可能となり、インジケータの視認性を向上させることができる。
【００６０】
また、タブレット型端末装置の端部に配置されるＷ−ＬＡＮアンテナの通信部から離れた位置にＬＥＤを配置することで、ＬＥＤに接続する回路を通信部の近傍に配置することが回避でき、Ｗ−ＬＡＮアンテナの通信特性の劣化を軽減できる。
【００６１】
また、ＬＥＤから発せられた光のフロントカバーと反対側の遮蔽を、回路を配設しないメインボードにより行うことで、部品数を削減しつつ光の漏れを防止できる。
【００６２】
さらに、ＬＥＤから発せられた光の遮蔽を行うサイド遮蔽板を導光部材に接するように配置することで、部品数を削減しつつ光の漏れを防止できる。
【実施例２】
【００６３】
次に、実施例２について説明する。本実施例に係るタブレット型端末装置は、ＬＥＤと導光部材とを結ぶ光路をフロントカバーから延びる部材で袋状に囲むことが実施例１と異なる。以下の説明では、実施例１と同じ各部材については説明を省略する。
【００６４】
図１７は、実施例２に係るタブレット型端末装置のＬＥＤ及び導光部材近傍の断面斜視図である。図１８は、実施例２に係るタブレット型端末装置のＬＥＤ及び導光部材上で切断した概略断面図である。図１９は、実施例２に係るタブレット型端末装置のサイド遮蔽板上で切断した概略断面図である。図１８は、図９におけるＡ−Ａ断面図にあたる。また、図１９は、図９におけるＢ−Ｂ断面図にあたる。
【００６５】
本実施例に係るフロントカバー２は、図１７に示すように、サイド遮蔽板２１及びバック遮蔽板２２に加えて、リアカバー側遮蔽板２３を有する。リアカバー側遮蔽板２３は、ＸＹ平面に平行な平面を有する板状の部材である。そして、リアカバー側遮蔽板２３は、フロントカバー２からリアカバー３に向けて延びるＸＹ平面を有する２枚のサイド遮蔽板２１を接続する。
【００６６】
すなわち、フロントカバー２は、ＬＥＤ６と導光部材７とを結ぶ光路の導光部材７へ向かう方向以外の方向を袋状に覆う部材を有する。これにより、ＬＥＤ６から発せられた光は、導光部材７へ向かう方向以外は遮蔽される。
【００６７】
本実施例では、メインボード５は、ＬＥＤ６と導光部材７との間の領域に延伸するように構成されなくてよい。そして、本実施例では、リアカバー側遮蔽板２３は、図１８に示すように、ＬＥＤ６から導光部材７に向けてメインボード５を延伸させた位置に配置される。
【００６８】
また、本実施例においても、サイド遮蔽板２１は、図１９に示すように、導光部材７に接するように配置される。これにより、本実施例においても、サイド遮蔽部材２１は、導光部材７の逆Ｘ方向への移動を防止する。
【００６９】
以上に説明したように、本実施例に係るタブレット型端末装置は、フロントカバーから突出した袋状の部材により、ＬＥＤと導光部材とを結ぶ光路の導光部材へ向かう方向以外を覆う。これにより、インジケータ以外からの光の漏れを防止することができる。
【００７０】
さらに、以上の説明では、アンテナに重なるようにＬＥＤ及び導光部材を配置したが、他の部材に重なるようにＬＥＤを配置しても情報処理装置のＩ／Ｏコネクタを配置する側面の省スペースを実現することができる。
【００７１】
特に、ＬＥＤを重ねて配置する部材としては、メインボード上に配置しなくてもよい部材、すなわちメインボードとは別部材となる部材と重ねることが好ましい。なぜなら、メインボード上に配置する部材の場合、ＬＥＤを重ねて配置するには、ＬＥＤもしくは相手方の部材をメインボードに繋がるサブのボード上に配置した上で、それぞれを重ねる構造となる。その場合、ボードが２つ重なることになり、厚みが増してしまう。この点、タブレット型端末装置のような薄型化を求められる情報処理装置では、厚みは抑えることが好ましい。例えば、メインボードとは別部材となる部材として、スピーカにＬＥＤを重ねて配置してもよい。また、ＳＩＭカードなどのカードスロットにＬＥＤを重ねて配置してもよい。
【００７２】
また、アンテナ以外にＬＥＤを重ねる場合、通信特性への影響を光路しなくてもよいので、ＬＥＤを導光部材の近傍に配置することもできる。
【符号の説明】
【００７３】
１  タッチパネル
２  フロントカバー
３  リアカバー
４  中子カバー
５  メインボード
６  ＬＥＤ
７  導光部材
８  Ｗ−ＬＡＮアンテナ
９  防水パッキン
１０  ＤＣケーブル
１５  内部部品
２１  サイド遮蔽板
２２  バック遮蔽板
２３  リアカバー側遮蔽板
８１  通信部
８２  ケーブル
８３  グランド
１００  タブレット型端末装置
【図１】
0006485294.tif 000002
【図２】
0006485294.tif 000003
【図３】
0006485294.tif 000004
【図４】
0006485294.tif 000005
【図５】
0006485294.tif 000006
【図６Ａ】
0006485294.tif 000007
【図６Ｂ】
0006485294.tif 000008
【図７】
0006485294.tif 000009
【図８】
0006485294.tif 000010
【図９】
0006485294.tif 000011
【図１０】
0006485294.tif 000012
【図１１】
0006485294.tif 000013
【図１２】
0006485294.tif 000014
【図１３】
0006485294.tif 000015
【図１４】
0006485294.tif 000016
【図１５】
0006485294.tif 000017
【図１６】
0006485294.tif 000018
【図１７】
0006485294.tif 000019
【図１８】
0006485294.tif 000020
【図１９】
0006485294.tif 000021